(57)【特許請求の範囲】
【請求項１】
平坦面を有する基盤部の裏面側に係止部を有するピン体部が突成された合成樹脂で構成される取付部材と、合成樹脂で構成される止め具部材と、を有する服飾用係止具であって、
前記止め具部材には、前記ピン体部が係脱可能に係入される挿入孔と、前記挿入孔の周囲に該挿入孔に連通された分周的な複数個の切溝部と、これらの切溝部間に形成されて前記ピン体部に係脱可能にされた係止爪片と、が設けられた服飾用係止具において、
（イ）前記止め具部材が、円盤状で縦断面が均一な厚さにて可撓可能に形成され、かつ、前記止め具部材の前記切溝部間の前記取付部材に対向する外周には、被挟持体の取外し時に、前記取付部材との間に拡大可能に間隙を確保すると共に、前記止め具部材を被挟持方向とは反対方向に外周側から撓み可能となす薄肉部が、段差をつけて形成され、
（ロ）前記ピン体部が、体操服等の衣服と、該衣服の所望位置に取付けられるゼッケン、又はその他の被挟持体とを取付時には重ね合わせて屈曲させるようにして、前記挿入孔内に嵌入されることにより、該ゼッケン、又はその他の被挟持体とが、円盤状の止め具部材と、取付部材の基盤部との間に挟持されて固定され、そして、
（ハ）前記係止爪片の撓みにより、前記被挟持体が、前記ピン体部と前記係止爪片との間に挟持されて弾力的に係止される、
ことを特徴とする服飾用係止具。
【請求項２】
平坦面を有する基盤部の裏面側に係止部を有するピン体部が突成された合成樹脂で構成される取付部材と、合成樹脂で構成される止め具部材と、を有する服飾用係止具であって、
前記止め具部材には、前記ピン体部が係脱可能に係入される挿入孔と、前記挿入孔の周囲に該挿入孔に連通された分周的な複数個の切溝部と、これらの切溝部間に形成されて前記ピン体部に係脱可能にされた係止爪片と、前記切溝部間の外周に形成された円弧溝と、が設けられた服飾用係止具において、
（ニ）前記止め具部材が、円盤状で縦断面が均一な厚さにて可撓可能に形成され、かつ、前記止め具部材の前記切溝部間の前記取付部材に対向する外周には、被挟持体の取外し時に、前記取付部材との間に拡大可能な間隙を確保すると共に、前記止め具部材を被挟持方向とは反対方向に外周側から撓み可能となす薄肉部が、段差をつけて形成され、
（ホ）前記ピン体部が、体操服等の衣服と、該衣服の所望位置に取付けられるゼッケン、又はその他の被挟持体とを取付時には重ね合わせて屈曲させるようにして、前記挿入孔内に嵌入されることにより、該ゼッケン、又はその他の被挟持体とが、円盤状の止め具部材と、取付部材の基盤部との間に挟持されて固定され、そして、
（へ）前記係止爪片の撓みにより、前記被挟持体が、前記ピン体部と前記係止爪片との間に挟持されて弾力的に係止される、
ことを特徴とする服飾用係止具。
【請求項３】
平坦面を有する基盤部の裏面側に係止部を有するピン体部が突成された合成樹脂で構成される取付部材と、合成樹脂により、円盤状で縦断面が均一の厚さにて可撓可能に構成される止め具部材と、を有する服飾用係止具であって、前記止め具部材には、前記ピン体部が係脱可能に係入される挿入孔と、前記挿入孔の周囲に該挿入孔に連通された分周的な複数個の切溝部と、これらの切溝部間に形成されて前記ピン体部に係脱可能な係止爪片と、が設けられている服飾用係止具、を用いて体操服等の衣服の所望位置にゼッケン、又はその他の被挟持体とを取付ける被挟持体の取付方法において、
（ト）前記ピン体部を、体操服等の衣服と、該衣服の所望位置に取付けられる取付時にはゼッケン、又はその他の被挟持体とを重ね合わせて屈曲させるように前記挿入孔内に嵌入させて、被挟持体を円盤状の止め具部材と、取付部材の基盤部との間に挟持固定し、そして、
（チ）前記被挟持体を、前記係止爪片の撓みにより、前記ピン体部と前記係止爪片との間に挟持されて弾力的に係止し、そして、
（リ）前記被挟持体の取外し時には、前記取付部材と前記止め具部材の前記切溝間の前記取付部材に対向する外周に前記取付部材との間に拡大可能に段差をつけて薄肉部との間に形成された前記間隙を拡げて前記止め具部材を被挟持方向とは反対方向に外周側から撓ませることにより、前記ピン体部を前記挿入孔から脱嵌させ、被挟持体を取外す、
ことを特徴とする被挟持体の取付方法。
【発明の詳細な説明】
【技術分野】
【０００１】
本発明は服飾用係止具、および被挟持体の取付方法に関し、例えばレース等の運動競技やイベントに用いるゼッケン、またスカーフ等を係止する等に最適に使用されるものである。
【背景技術】
【０００２】
従来、例えばマラソンやトラック競技、また運動会等の体育会系のイベント、各種室内競技等に使用されるゼッケンは、長方形に裁断された布帛、合成樹脂シート、不織布等により形成され、出場番号、主催者、後援者、スローガン等が印刷等されることにより表示されていた。
【０００３】
そして、ゼッケンの取付には、体操服の胸部または背部に糸を用いて縫付けたり、安全ピンを用いて係止したり、さらには糊を用いて貼着する等して取付けられていた。
【０００４】
しかしながら、糸を用いてゼッケンを体操服に縫付けたり、糊付けを行う上記従来方法は、取付と取外しに多くの時間と手間がかかり、また、安全ピンを用いて体操服等に取付けるものは、競技中に止金部からピン部の係合が外れ易く、思わぬ怪我を生ずる等、危険であった。
【０００５】
従って、これらの従来のゼッケン等の取付方法を改良する他の従来方法として、例えばゼッケンに装着される雌状の穴部を有する表面ホックと、ゼッケンが重ね合わされる体操服の裏面から前記表面ホックの穴部に嵌脱自在に嵌合させる雄状の係止部を有する裏面ホックとを用いてゼッケンを体操服に着脱自在に取り付けるという方法があった（特許文献１参照）。
【特許文献１】特開２００３−１５００６３号公報
【発明の開示】
【発明が解決しようとする課題】
【０００６】
しかしながら、特許文献１に記載の上記従来のゼッケン等の取付方法は、ゼッケンに装着される雌状の穴部を有する表面ホックと、雄状の係止部を有する裏面ホックとを用いてゼッケンと体操服とが重ね合わされた状態で体操服の裏面から前記表面ホックの穴部に裏面ホックの係止部を嵌入することによりゼッケンを体操服に着脱自在に取付けるものであるので、ゼッケンの取付時にはゼッケンと体操服とが邪魔して表面ホックの穴部に裏面ホックの係止部を嵌入するのを拒むため、取付には多くの時間と手間がかかり、非能率的であった。しかも表面ホックと裏面ホックとを完全な嵌合状態に達成することが難しいので、競技中に表面ホックから裏面ホックが脱嵌し易く、ゼッケンが外れ易いという欠点があった。
【０００７】
本発明は、上記従来の欠点を解決し、ゼッケン等の取付と取外しが迅速かつ確実に行えて操作性が良く、また、一度取けると、脱落することなく堅牢に取付が行え、さらには、構造簡単であり、量産可能で、製作コストも安価な服飾用係止具、および被挟持体の取付方法を提供することを目的とする。
【課題を解決するための手段】
【０００８】
本発明は上記課題に鑑みなされ、請求項１に記載の発明は、
平坦面を有する基盤部の裏面側に係止部を有するピン体部が突成された合成樹脂で構成される取付部材と、合成樹脂で構成される止め具部材と、を有する服飾用係止具であって、
前記止め具部材には、前記ピン体部が係脱可能に係入される挿入孔と、前記挿入孔の周囲に該挿入孔に連通された分周的な複数個の切溝部と、これらの切溝部間に形成されて前記ピン体部に係脱可能にされた係止爪片と、が設けられた服飾用係止具において、
（イ）前記止め具部材が、円盤状で縦断面が均一な厚さにて可撓可能に形成され、かつ、前記止め具部材の前記切溝部間の前記取付部材に対向する外周には、被挟持体の取外し時に、前記取付部材との間に拡大可能に間隙を確保すると共に、前記止め具部材を被挟持方向とは反対方向に外周側から撓み可能となす薄肉部が、段差をつけて形成され、
（ロ）前記ピン体部が、体操服等の衣服と、該衣服の所望位置に取付けられるゼッケン、又はその他の被挟持体とを取付時には重ね合わせて屈曲させるようにして、前記挿入孔内に嵌入されることにより、該ゼッケン、又はその他の被挟持体とが、円盤状の止め具部材と、取付部材の基盤部との間に挟持されて固定され、そして、
（ハ）前記係止爪片の撓みにより、前記被挟持体が、前記ピン体部と前記係止爪片との間に挟持されて弾力的に係止される、
ことを特徴とする。
【０００９】
また、本発明の請求項２に記載の発明は、
平坦面を有する基盤部の裏面側に係止部を有するピン体部が突成された合成樹脂で構成される取付部材と、合成樹脂で構成される止め具部材と、を有する服飾用係止具であって、
前記止め具部材には、前記ピン体部が係脱可能に係入される挿入孔と、前記挿入孔の周囲に該挿入孔に連通された分周的な複数個の切溝部と、これらの切溝部間に形成されて前記ピン体部に係脱可能にされた係止爪片と、前記切溝部間の外周に形成された円弧溝と、が設けられた服飾用係止具において、
（ニ）前記止め具部材が、円盤状で縦断面が均一な厚さにて可撓可能に形成され、かつ、前記止め具部材の前記切溝部間の前記取付部材に対向する外周には、被挟持体の取外し時に、前記取付部材との間に拡大可能な間隙を確保すると共に、前記止め具部材を被挟持方向とは反対方向に外周側から撓み可能となす薄肉部が、段差をつけて形成され、
（ホ）前記ピン体部が、体操服等の衣服と、該衣服の所望位置に取付けられるゼッケン、又はその他の被挟持体とを取付時には重ね合わせて屈曲させるようにして、前記挿入孔内に嵌入されることにより、該ゼッケン、又はその他の被挟持体とが、円盤状の止め具部材と、取付部材の基盤部との間に挟持されて固定され、そして、
（へ）前記係止爪片の撓みにより、前記被挟持体が、前記ピン体部と前記係止爪片との間に挟持されて弾力的に係止される、
ことを特徴とする。
【００１１】
また、本発明の請求項３に記載の発明は、
平坦面を有する基盤部の裏面側に係止部を有するピン体部が突成された合成樹脂で構成される取付部材と、合成樹脂により、円盤状で縦断面が均一の厚さにて可撓可能に構成される止め具部材と、を有する服飾用係止具であって、前記止め具部材には、前記ピン体部が係脱可能に係入される挿入孔と、前記挿入孔の周囲に該挿入孔に連通された分周的な複数個の切溝部と、これらの切溝部間に形成されて前記ピン体部に係脱可能な係止爪片と、が設けられている服飾用係止具、を用いて体操服等の衣服の所望位置にゼッケン、又はその他の被挟持体とを取付ける被挟持体の取付方法において、
（ト）前記ピン体部を、体操服等の衣服と、該衣服の所望位置に取付けられる取付時にはゼッケン、又はその他の被挟持体とを重ね合わせて屈曲させるように前記挿入孔内に嵌入させて、被挟持体を円盤状の止め具部材と、取付部材の基盤部との間に挟持固定し、そして、
（チ）前記被挟持体を、前記係止爪片の撓みにより、前記ピン体部と前記係止爪片との間に挟持されて弾力的に係止し、そして、
（リ）前記被挟持体の取外し時には、前記取付部材と前記止め具部材の前記切溝間の前記取付部材に対向する外周に前記取付部材との間に拡大可能に段差をつけて薄肉部との間に形成された前記間隙を拡げて前記止め具部材を被挟持方向とは反対方向に外周側から撓ませることにより、前記ピン体部を前記挿入孔から脱嵌させ、被挟持体を取外す、
ことを特徴とする。
【発明の効果】
【００１２】
本請求項１に記載の発明によれば、平坦面を有する基盤部の裏面側に係止部を有するピン体部が突成された合成樹脂で構成される取付部材と、合成樹脂で構成される止め具部材と、を有する服飾用係止具であって、前記止め具部材には、前記ピン体部が係脱可能に係入される挿入孔と、前記挿入孔の周囲に該挿入孔に連通された分周的な複数個の切溝部と、これらの切溝部間に形成されて前記ピン体部に係脱可能にされた係止爪片と、が設けられた服飾用係止具において、前記止め具部材が、円盤状で縦断面が均一な厚さにて可撓可能に形成され、かつ、前記止め具部材の前記切溝部間の前記取付部材に対向する外周には、被挟持体の取外し時に、前記取付部材との間に拡大可能に間隙を確保すると共に、前記止め具部材を被挟持方向とは反対方向に外周側から撓み可能となす薄肉部が、段差をつけて形成され、前記ピン体部が、体操服等の衣服と、該衣服の所望位置に取付けられるゼッケン、又はその他の被挟持体とを取付時には重ね合わせて屈曲させるようにして、前記挿入孔内に嵌入されることにより、該ゼッケン、又はその他の被挟持体とが、円盤状の止め具部材と、取付部材の基盤部との間に挟持されて固定され、そして、前記係止爪片の撓みにより、前記被挟持体が、前記ピン体部と前記係止爪片との間に挟持されて弾力的に係止されるので、取付部材の裏面に設けたピン体部を、合成樹脂の止め具部材の挿入孔内に嵌入することにより、体操服等の衣服と、該衣服の所望位置に取付けられるゼッケン、又はその他の被挟持体とが、円盤状の止め具部材と取付部材の基盤部との間に挟持されて固定されると共に、前記衣服と前記ゼッケン、又はその他の被挟持体とが重ね合わされて屈曲されるように前記挿入孔内に挟持される。それ故、本願の請求項１に記載された発明によれば、被挟持体にピン体部により挿通孔が開設されることなく、体操服等の衣服にゼッケン等の被挟持体を取付、固定することができる。また、被挟持体の取外し時には、前記取付部材と前記止め具部材との間隔が拡開されて止め具部材を挟持方向とは反対方向に外周側から撓ませることにより、挿入孔からピン体部が引き抜かれ、ピン体部の係合が解除され、体操服等の衣服からゼッケン等の被挟持体を取り外すことができる等、取付と取外しが迅速かつ確実に行えて操作性が良い。また体操服等の衣服にゼッケン等の被挟持体を一度取けると、脱落することなく堅牢に取付が行える。さらには服飾用として多用途に使用でき、さらには構造簡単であり、量産可能で、製作コストも安価になる。
【００１３】
また、本発明の請求項２に記載の発明によれば、平坦面を有する基盤部の裏面側に係止部を有するピン体部が突成された合成樹脂で構成される取付部材と、合成樹脂で構成される止め具部材と、を有する服飾用係止具であって、前記止め具部材には、前記ピン体部が係脱可能に係入される挿入孔と、前記挿入孔の周囲に該挿入孔に連通された分周的な複数個の切溝部と、これらの切溝部間に形成されて前記ピン体部に係脱可能にされた係止爪片と、前記切溝部間の外周に形成された円弧溝と、が設けられた服飾用係止具において、前記止め具部材が、円盤状で縦断面が均一な厚さにて可撓可能に形成され、かつ、前記止め具部材の前記切溝部間の前記取付部材に対向する外周には、被挟持体の取外し時に、前記取付部材との間に拡大可能な間隙を確保すると共に、前記止め具部材を被挟持方向とは反対方向に外周側から撓み可能となす薄肉部が、段差をつけて形成され、前記ピン体部が、体操服等の衣服と、該衣服の所望位置に取付けられるゼッケン、又はその他の被挟持体とを取付時には重ね合わせて屈曲させるようにして、前記挿入孔内に嵌入されることにより、該ゼッケン、又はその他の被挟持体とが、円盤状の止め具部材と、取付部材の基盤部との間に挟持されて固定され、そして、前記係止爪片の撓みにより、前記被挟持体が、前記ピン体部と前記係止爪片との間に挟持されて弾力的に係止されるので、取付部材の裏面に設けたピン体部を、合成樹脂の止め具部材の挿入孔内に嵌入することにより、体操服等の衣服と、該衣服の所望位置に取付けられるゼッケン、又はその他の被挟持体とが、円盤状の止め具部材と取付部材の基盤部との間に挟持されて固定されると共に、前記衣服と前記ゼッケン、又はその他の前記被挟持体とが、重ね合わされて屈曲されるように前記挿入孔内に前記ピン体部と一緒に押し込まれて弾力的に挟持される。それ故、本願の請求項２に記載された発明によれば、被挟持体にピン体部により挿通孔が開設されることなく、体操服等の衣服にゼッケン等の被挟持体を取付、固定することができる。また、被挟持体の取外し時には、前記取付部材と前記止め具部材の前記薄肉部との間に形成された前記間隙を拡げることにより止め具部材を挟持方向とは反対方向に外周側から撓ませて前記取付部材と前記止め具部材との間隔が拡開されて挿入孔からピン体部が引き抜かれ、ピン体部の係合が解除され、体操服等の衣服からゼッケン等の被挟持体を取り外すことができる等、取付と取外しが迅速かつ確実に行えて操作性が良い。また体操服等の衣服にゼッケン等の被挟持体を一度取けると、脱落することなく堅牢に取付が行える。さらには服飾用として多用途に使用でき、さらには構造簡単であり、量産可能で、製作コストも安価になる。
【００１５】
また、本発明の請求項３に記載の発明によれば、平坦面を有する基盤部の裏面側に係止部を有するピン体部が突成された合成樹脂で構成される取付部材と、合成樹脂により、円盤状で縦断面が均一の厚さにて可撓可能に構成される止め具部材と、を有する服飾用係止具であって、前記止め具部材には、前記ピン体部が係脱可能に係入される挿入孔と、前記挿入孔の周囲に該挿入孔に連通された分周的な複数個の切溝部と、これらの切溝部間に形成されて前記ピン体部に係脱可能な係止爪片と、が設けられている服飾用係止具、を用いて体操服等の衣服の所望位置にゼッケン、又はその他の被挟持体とを取付ける被挟持体の取付方法において、前記ピン体部を、体操服等の衣服と、該衣服の所望位置に取付けられる取付時にはゼッケン、又はその他の被挟持体とを重ね合わせて屈曲させるように前記挿入孔内に嵌入させて、被挟持体を円盤状の止め具部材と、取付部材の基盤部との間に挟持固定し、そして、前記被挟持体を、前記係止爪片の撓みにより、前記ピン体部と前記係止爪片との間に挟持されて弾力的に係止し、そして、前記被挟持体の取外し時には、前記取付部材と前記止め具部材の前記切溝間の前記取付部材に対向する外周に前記取付部材との間に拡大可能に段差をつけて薄肉部との間に形成された前記間隙を拡げて前記止め具部材を被挟持方向とは反対方向に外周側から撓ませることにより、前記ピン体部を前記挿入孔から脱嵌させ、被挟持体を取外すので、取付部材の裏面に設けたピン体部を、合成樹脂の止め具部材の挿入孔内に嵌入することにより、体操服等の衣服と、該衣服の所望位置に取付けられるゼッケン、又はその他の被挟持体とが、円盤状の止め具部材と取付部材の基盤部との間に挟持されて固定されると共に、前記衣服と前記ゼッケン、又は他の前記被挟持体とを重ね合わせて屈曲させるように前記挿入孔内に前記ピン体部と一緒に押し込まれて弾力的に挟持される。それ故、被挟持体にピン体部により挿通孔が開設されることなく、体操服等の衣服にゼッケン、又はその他の被挟持体を取付、固定することができる。また、被挟持体の取外し時には、前記取付部材と前記止め具部材の前記薄肉部との間に形成された前記間隙を拡げることにより止め具部材を挟持方向とは反対方向に外周側から全体的に撓ませて前記取付部材と前記止め具部材との間隔が拡開されて挿入孔から係止部が引き抜かれ、係止部の係合が解除され、体操服等の衣服からゼッケン、又はその他の被挟持体を取り外すことができる等、取付と取外しが迅速かつ確実に行えて操作性が良い。また体操服等の衣服にゼッケン等の被挟持体を一度取けると、脱落することなく堅牢に取付が行える。さらには服飾用として多用途に使用でき、さらには構造簡単であり、量産可能で、製作コストも安価になる。
【発明を実施するための最良の形態】
【００１６】
以下、図面に従って本発明の実施の最良の形態により、本発明の詳細を説明する。
【００１７】
図１は本発明の服飾用係止具の実施形態を示す分解斜視図、図２は同じく組付状態を示す拡大断面図、図３は同じく本実施形態を構成する取付部材を示す拡大背面図、図４は同じく拡大側面図、図５は同じく本実施形態を構成する止め具部材を示す拡大正面図、図６は同じく拡大断面図である。
【００１８】
本実施形態は、平坦面を有する基盤部２の裏面側に係止部３ａを有するピン体部３が突成された取付部材１と、合成樹脂で構成される止め具部材４と、を有する服飾用係止具である。そして、この服飾用係止具においては、前記止め具部材４には、前記ピン体部３が係脱可能に係入される挿入孔５と、該挿入孔５の周囲に該挿入孔５に連通された分周的な複数個、図１、図５では４個の切溝部６と、これらの切溝部６間に前記挿入孔５の周辺に前記ピン体部３に係脱可能な可撓性を備えた４個の係止爪片４Ａとが設けられている。また、前記止め具部材４が、円盤状で縦断面が均一の厚さにて可撓可能に形成され、前記ピン体部３が、体操服１０等の衣服と、該衣服の所望位置に取付けられるゼッケン９、又はその他の被挟持体Ｋを取付時には重ね合わせて屈曲させるようにして、前記挿入孔５内に嵌入されことにより、該ゼッケン、又はその他の被挟持体とが、円盤状の止め具部材４と、取付部材１の基盤部２との間に挟持されて固定されることを特徴とする。そして、各切溝部６間の前記取付部材１に対向する外周には段差を設けて薄肉部７を形成している。
【００１９】
この実施形態では、前記取付部材１を合成樹脂により成形するとともに、および前記止め具部材４を合成樹脂の可撓性材料により形成される。そして、この合成樹脂としては、好適には生分解合成樹脂が使用されることにより前記取付部材１と前記止め具部材４とは形成される。生分解合成樹脂としては、例えばポリビニールアルコール樹脂、ポリエチレン樹脂、ポリアミド樹脂、ポリエステル樹脂等があげられる。
【００２０】
また、前記基盤部２は、図示する実施形態では平坦面を有する円盤状に形成されるが、図示するものは代表的な例示であり、その外形状はそのほか例えば四角形、菱形、五角形、六角形、八角形、花形、動物、植物等の外形の適宜形状に形成されるものでもよく、図示するものにとらわれない。
【００２１】
また、前記ピン体部３は、図示する実施形態では、先端部に至るに従って末端部よりも大径になるように逆台垂状に形成されているが、これに限ることなく、図には示さないがピン体部３は柱状部をなし、しかも係止部３ａは該柱状部よりも径大の例えば円錐状や球状に形成されるものであってもよい。また、止め具部材４に設けられる前記挿入孔５と取付部材１に設けられる前記ピン体部３とは、横断面形状が挿入孔５の方がピン体部３よりも僅かに大きい相似形状であることが嵌入時にがたつきや緩みがなく取り付けることができる観点から望ましい。
【００２２】
また、前記切溝部６は、本実施形態では、図５に示すように平面的に４個が十文字に止め具部材４に形成されているが、その設置長さｌは挿入孔５から外周側へ略半分以上に形成されることにより、基盤部２のピン体部３に止め具部材４を係止したり、またはこの止め具部材４をピン体部３から脱嵌したりする場合に、止め具部材４を形成する形成材料自体が発揮する可撓性に加えて充分な可撓性を直径方向および周方向に発揮させることにより嵌脱時の操作性を簡単かつ確実になしている。また、切溝部６の設置長さｌ、設置幅ｗの増減変更は止め具部材４に充分に可撓性を発揮するために、自由に行える。
【００２３】
８は、前記止め具部材４の前記切溝部６,６相互間の内域に略同心円的に形成される円弧溝であり、この円弧溝８を形成するのは、前記切溝部６を形成することにより止め具部材４に可撓性を発揮するのに加えて止め具部材４に一層の可撓性を発揮させるためのものである。
【００２４】
９は被挟持体Ｋとしてのゼッケンであり、このゼッケン９は長方形に裁断された布帛、紙、不織布により形成され、表面には出場番号、主催者、後援者、スローガン等が印刷等の適宜手段により表示される。
【００２５】
本発明の実施形態は以上の構成からなり、例えば布帛、紙、不織布により長方形に裁断して形成された被挟挟体Ｋとしてのゼッケン９を体操服１０に取付けるのには、先ず体操服１０の取付個所にゼッケン９を重ね合わす。そして、ゼッケン９の表面から取付部材１の基盤部２の裏面に設けられているピン体部３を内側に向けて押し当てる。次いで止め具部材４を体操服１０の裏面側から前記取付部材１に重合してゼッケン９と体操服１０とを重ね合わしたままピン体部３を止め具部材４に設けた挿入孔５内に嵌入する。
【００２６】
この際、止め具部材４には、挿入孔５の周囲に図５に示すように放射方向に向けて複数個、本実施形態では４個の切溝部６が平面的に放射方向に向けて十文字に形成され、しかも切溝部６の設置長さｌは挿入孔５から外周側へ略半分以上に形成されるので、止め具部材４を形成するための形成材料自体が発揮する可撓性に加えて充分な可撓性が発揮される。従って、取付部材１の基盤部２に設けるピン体部３を止め具部材４に設ける挿入孔５内に嵌入することによりピン体部３の先端に設ける係止部３ａに止め具部材４を簡単かつ確実に係止して抜け止めをはかり、取付部材１に止め具部材４を取付けることができる。そして、取付部材１のピン体部３を止め具部材４の挿入孔５内に嵌入することにより、このピン体部３が、体操服１０等の衣服と、該衣服の所望位置に取付けられるゼッケン９、又はその他の被挟持体Ｋを重ね合わせて前記挿入孔５内に嵌入される。また、前記係止爪片４Ａの撓みにより前記被挟持体Ｋは弾性的に係止され、堅牢な取付状態になる。従って、体操服１０には挿入孔５内に嵌入されるピン体部３により何らの挿通孔が開設されることがないため、外観的な見苦しさがなくなり、取付個所の変更も容易である。
【００２７】
こうした取付操作をゼッケン９の少なくとも上縁の左右２個所、また好ましくはゼッケン９の四隅に行うことにより被挟持具Ｋとしてのゼッケン９を体操服１０の前面および／または背面の所望位置に取付ることができる。
【００２８】
また、ゼッケン９の取付後等においては、ピン体部３の先端に設ける係止部３ａに止め具部材４が係止されて抜け止めがはかられるとともに挿入孔５の周辺に設けられた複数個の係止爪片４Ａにより周囲から体操服１０等の衣服と、該衣服の所望位置に取付けられるゼッケン９、又はその他の被挟持体Ｋを介してピン体部３は弾力的に把持されることにより不用意な抜け出しが規制されるので、取付部材１と止め具部材４とにより固定されるゼッケン９がずれ動いたり、競技中やイベント中に外れることなく体操服１０に対して所定位置にゼッケン９を確実に取付ておくことができる。
【００２９】
また、競技等が終了した使用後においてゼッケン９を体操服１０から取外すのには、ゼッケン９と体操服１０とを重ね合わしたまま挿入孔５内に嵌入されているピン体部３を止め具部材４の挿入孔５から引き抜いて脱嵌する。
【００３０】
この際、取付部材１に対向する止め具部材４の切溝部６間に位置する取付部材１に対向する外周個所には、段差を付けて薄肉部７が設けられることにより取付部材１との間に図２に示すように隙間ｔを生じているので、止め具部材４と取付部材１との間のこの間隙ｔ内に指の爪先等を容易に差し入れることができる。
【００３１】
そして、ゼッケン９、又はその他の被挟持体Ｋの取外し時には、止め具部材４と取付部材１との間の間隙ｔ内に差し入れられる爪先等をさらに深く差し入れて止め具部材４と取付部材１との間の間隙ｔを拡げて行くと、前述のように円盤状で縦断面が均一の厚さにて可撓可能に形成された止め具部材４の挿入孔５の周囲には放射方向に向けて本実施形態では、図５に示すように平面的に４個の十文字の切溝部６が止め具部材４に形成され、その設置長さｌは挿入孔５から外周側へ略半分以上に形成されるので、止め具部材４は形成材料自体が発揮する可撓性に加えて止め具部材４を挟持方向とは反対方向に外周側から直径方向および周方向に充分な可撓性が発揮されるため、取付部材１のピン体部３を止め具部材４の挿入孔５から係止部３ａの係止を解いて引き抜くことができる。こうしてゼッケン９を体操服１０の前面および／または背面から取外すことができる。
【００３２】
そして、取付部材１を形成する前記合成樹脂、および前記止め具部材４を形成する合成樹脂よりなる可撓性材料は、例えばポリビニールアルコール樹脂、ポリエチレン樹脂、ポリアミド樹脂、ポリエステル樹脂等の生分解合成樹脂により形成されるので、使用後に廃棄処分を行った場合にも環境を汚染することなく、処分が行える。また、ゼッケン９も、例えば布帛、紙等により形成されるものを用いれば環境を汚染することなく、廃棄することができる。
【００３３】
上記実施形態では、取付部材１と止め具部材４とを用いてゼッケン９を体操服１０に取付ける場合の係止具について代表的に説明したが、本発明は上記説明に限ることなく、スカーフ、ワッペン、名札、腕章等の服飾用係止具についても本発明の適用範囲である。
【産業上の利用可能性】
【００３４】
本発明はゼッケン等の取付と取外しが迅速かつ確実に行えて操作性が良く、所望の取付個所への取付が行え、また、一度取けると、脱落することなく堅牢に取付が行え、さらには服飾用として、例えばゼッケン、スカーフ等の服飾用係止具等、多用途に使用でき、さらには構造簡単であり、量産可能で、製作コストも安価になるという分野・用途に適する。
【図面の簡単な説明】
【００３５】
【図１】図１は本発明の服飾用係止具の実施形態を示す分解斜視図である。
【図２】図２は同じく組付状態を示す拡大断面図である。
【図３】図３は同じく本実施形態を構成する取付具を示す拡大背面図である。
【図４】図４は同じく拡大側面図である。
【図５】図５は同じく本実施形態を構成する止め具部材を示す拡大正面図である。
【図６】図６は同じく拡大断面図である。
【符号の説明】
【００３６】
１    取付部材
２    基盤部
３    ピン体部
３ａ  係止部
４    止め具部材
４Ａ  係止爪片
５    挿入孔
６    切溝部
７    薄肉部
８    円弧溝
Ｋ    被挟持体
ｔ    間隙
【図１】
0004038175.tif 000002
【図２】
0004038175.tif 000003
【図３】
0004038175.tif 000004
【図４】
0004038175.tif 000005
【図５】
0004038175.tif 000006
【図６】
0004038175.tif 000007